(57)【要約】【課題】  既設のシステムに適用する場合であっても工事コストの上昇を抑制することができると共に、冷凍機の省エネ運転を有効に行うことができる冷凍システム及び低温ショーケースを提供する。【解決手段】  庫内冷却温度が異なる複数台の低温ショーケース１Ａ・・、１Ｂ・・に設けられた各冷却器４６（、４８）に冷凍機１１から冷媒を分配供給して成る冷凍システムＲにおいて、庫内冷却温度が高い方の低温ショーケース１Ａの冷却器４６入口に接続された温度式膨張弁１６及び該冷却器４６への冷媒供給を制御する電磁弁１４と、庫内冷却温度が低い方の低温ショーケース１Ｂの冷却器４６入口に接続され、全閉と全開の間で弁開度を制御可能とされた電子膨張弁２０とを備えた。【選択図】  図２
2005315495.tif 000002
【特許請求の範囲】
【請求項１】
庫内冷却温度が異なる複数台の低温ショーケースに設けられた冷却器に冷凍機から冷媒を分配供給して成る冷凍システムにおいて、
庫内冷却温度が高い方の前記低温ショーケースの冷却器入口に接続された温度式膨張弁及び該冷却器への冷媒供給を制御する開閉弁と、
庫内冷却温度が低い方の前記低温ショーケースの冷却器入口に接続され、全閉と全開の間で弁開度を制御可能とされた電子膨張弁とを備えたことを特徴とする冷凍システム。
【請求項２】
主冷却器及び該主冷却器に冷媒が供給されている間、デューティー制御により冷媒の供給を受ける補助冷却器とを備えた低温ショーケースにおいて、
前記主冷却器入口に接続され、全閉と全開の間で弁開度を制御可能とされた電子膨張弁と、
前記補助冷却器入口に接続された温度式膨張弁及び該補助冷却器への冷媒供給を制御する開閉弁とを備えたことを特徴とする低温ショーケース。
【請求項３】
庫内冷却温度が異なる複数台の低温ショーケースに設けられた冷却器に冷凍機から冷媒を分配供給して成る冷凍システムにおいて、
庫内冷却温度が高い方の前記低温ショーケースの冷却器入口に接続された温度式膨張弁及び該冷却器への冷媒供給を制御する開閉弁と、
庫内冷却温度が低い方の前記低温ショーケースに設けられた主冷却器及び該主冷却器に冷媒が供給されている間、デューティー制御により冷媒の供給を受ける補助冷却器と、
前記主冷却器入口に接続され、全閉と全開の間で弁開度を制御可能とされた電子膨張弁と、
前記補助冷却器入口に接続された温度式膨張弁及び該補助冷却器への冷媒供給を制御する開閉弁とを備えたことを特徴とする冷凍システム。
【発明の詳細な説明】
【技術分野】
【０００１】
本発明は、例えばスーパーマーケットなどに設置される食品保存・陳列用の低温ショーケースや業務用冷蔵庫・冷凍庫などの機器などから構成される冷凍システム及び複数の冷却器を備える低温ショーケースに関するものである。
【背景技術】
【０００２】
従来よりスーパーマーケットなどに設置される食品保存・陳列用の低温ショーケースは、当該店舗の規模に応じて数台から数十台設置されている。係る低温ショーケースは、冷媒との熱交換により冷却した空気を庫内に循環させることにより、庫内の空気温度を周辺の空気温度より下げて食品を保存するものであるが、その目標となる設定温度は、対象とする食品により種々異なる。
【０００３】
即ち、陳列する食品が肉や魚などの生鮮食品の場合には例えば−３℃乃至０℃（−１℃）などの氷温に、また、乳製品などの場合には例えば＋３℃乃至＋６℃（＋５℃）が設定温度となる。
【０００４】
また、低温ショーケース自体の構造も、上下複数段の棚が架設された多段型ケースや、底部に複数のトレイを並設する平型ケースなど種々存在する。従って、スーパーマーケットの店舗内にはこれら多品種の低温ショーケースが設置されることになる。
【０００５】
ここで、図５を参照して従来の冷凍システム１００について説明する。この冷凍システム１００は、一台の冷凍機１０１に対して上述したような複数台の低温ショーケース１０２Ａ・・及び１０２Ｂ・・が設置される。尚、図５では、低温ショーケース１０２Ａを乳製品などが陳列される設定温度＋５℃のショーケースとし、低温ショーケース１０２Ｂを生鮮食品などが陳列される設定温度−１℃のショーケースとする。
【０００６】
即ち、冷凍機１０１は図示しない圧縮機や凝縮器などを備え、各低温ショーケース１０２Ａ及び１０２Ｂにそれぞれ設置した図示しない冷却器をこの圧縮機に対して冷媒配管１０３にて並列接続し、所定の冷凍サイクルを構成するものである。また、冷媒配管１０３には、各低温ショーケース１０２Ａ、１０２Ｂに対して、それぞれ電磁弁１０４と温度式膨張弁１０５とが介設されている。そして、店舗規模によっては係る冷凍機１０１と複数台の低温ショーケース１０２Ａ、１０２Ｂの系統が複数存在するかたちとなる。尚、特許文献１には、一台の冷凍機に対して複数台の低温ショーケース又は業務用冷蔵庫が接続されている例が記載されている。
【０００７】
これにより、各低温ショーケース１０２Ａ、１０２Ｂに接続された電磁弁１０４及び温度式膨張弁１０５により冷凍機１０１から供給される冷媒の供給量が制御され、低温ショーケース１０２Ａ、１０２Ｂの庫内がそれぞれ所定の温度に冷却される。
【０００８】
尚、図６には一台の低温ショーケースに複数、係る従来例では２台の冷却器が配設されている場合の冷媒回路の一部を示している。この低温ショーケースは、主冷却器１１０と、補助冷却器１１１の２台の冷却器を備えており、それぞれの冷却器１１０及び１１１の冷媒入口側には、冷媒出口側に設けられる感温筒１１４、１１５により制御される温度式膨張弁１１２、１１３が設けられる。また、補助冷却器１１１側の温度式膨張弁１１３の冷媒上流側には、電磁弁１１６が設けられ、更に、該電磁弁１１６の冷媒上流側であって、主冷却器１１０側の温度式膨張弁１１２の冷媒上流側には、電磁弁１１７が設けられている。
【０００９】
これにより、電磁弁１１７を開放し、電磁弁１１６を閉鎖することで、主冷却器１１０のみに冷媒が流入し、該電磁弁１１７が開放された状態で、電磁弁１１６が例えばデューティー制御されることで、間欠的に補助冷却器１１１にも冷媒を流入させることができる。これによって、主冷却器１１０が霜閉塞状態に陥るまでの時間を延長させることができることから、例えば８時間間隔で行われていた除霜運転を、１４時間間隔で行っている。
【特許文献１】特開平７−２６９９８３号公報
【発明の開示】
【発明が解決しようとする課題】
【００１０】
食品を取り扱う店舗では、食材を冷却・保持するために、上述した如き冷凍設備機器が不可欠である。これら機器が消費する電力は、店舗全体が使用するエネルギーのおよそ半分を占めているといわれており、係る電気代を削減したいというニーズが高まっている。そこで、上述した如き冷凍システム１００の冷凍機１０１の圧縮機の圧縮比を下げることで、省エネ運転を行うこととなる。しかしながら、従来の冷凍システム１００において各低温ショーケース１０２Ａ、１０２Ｂに対し設けられる膨張弁は、温度式膨張弁１０５であるため、弁前後の圧力差が小さくなると冷媒が流れにくくなるという問題があった。そのため、各低温ショーケース１０２Ａ、１０２Ｂに配設される冷却器に十分な冷媒を供給することができず、冷却不良を生起する問題があった。
【００１１】
そこで、従来の温度式膨張弁１０５に比して制御範囲が広く追従性が高い電子膨張弁を設けることが考えられる。しかしながら、市場からは、既に店舗に設置された低温ショーケース１０２Ａ及び１０２Ｂにおいても温度式膨張弁１０５の代わりに電子膨張弁を用いて省エネ運転を行いたいという要望がある。
【００１２】
そこで、既存の冷凍システム１００の温度式膨張弁１０５と電磁弁１０４を電子膨張弁に付け替える工事を行うこととなるが、従来では、同一の冷凍機１０１に異なる温度帯の低温ショーケース１０２Ａ、１０２Ｂが接続されている場合には、全ての低温ショーケース１０２Ａ、１０２Ｂの温度式膨張弁１０５と電磁弁１０４を電子膨張弁に取り替えるか、若しくは異なる温度帯の低温ショーケース１０２Ａ、１０２Ｂをそれぞれ別の冷媒回路に分離し、一方のみの温度式膨張弁１０５と電磁弁１０４を電子膨張弁に付け替える方法を採用していた。
【００１３】
そのため、冷媒回路の編成の自由度が減少する問題があると共に、工事に必要とされる期間やコストの増大を招く問題があった。
【００１４】
また、上述した如き２台の冷却器１１０、１１１が設けられた低温ショーケースにおいても、各冷却器１１０、１１１に対応して設けられる温度式膨張弁１１２、１１３と電磁弁１１６、１１７を電子膨張弁に付け替えることで、冷却不良を生起することなく有効な省エネ運転を実現することが考えられる。しかし、係る場合においても低温ショーケースが店舗に設置された状態で、主冷却器１１０及び補助冷却器１１１の両者に対応して設けられる温度式膨張弁１１２、１１３及び電磁弁１１６、１１７をそれぞれ電子膨張弁に付け替えることは、工事に必要とされる期間やコストの増大を招く問題があった。
【課題を解決するための手段】
【００１５】
請求項１の発明の冷凍システムは、庫内冷却温度が異なる複数台の低温ショーケースに設けられた冷却器に冷凍機から冷媒を分配供給して成るものであって、庫内冷却温度が高い方の低温ショーケースの冷却器入口に接続された温度式膨張弁及び該冷却器への冷媒供給を制御する開閉弁と、庫内冷却温度が低い方の低温ショーケースの冷却器入口に接続され、全閉と全開の間で弁開度を制御可能とされた電子膨張弁とを備えたものである。
【００１６】
請求項２の発明の低温ショーケースは、主冷却器及び該主冷却器に冷媒が供給されている間、デューティー制御により冷媒の供給を受ける補助冷却器とを備えたものであって、主冷却器入口に接続され、全閉と全開の間で弁開度を制御可能とされた電子膨張弁と、補助冷却器入口に接続された温度式膨張弁及び該補助冷却器への冷媒供給を制御する開閉弁とを備えたものである。
【００１７】
請求項３の発明の冷凍システムは、庫内冷却温度が異なる複数台の低温ショーケースに設けられた冷却器に冷凍機から冷媒を分配供給して成るものであって、庫内冷却温度が高い方の低温ショーケースの冷却器入口に接続された温度式膨張弁及び該冷却器への冷媒供給を制御する開閉弁と、庫内冷却温度が低い方の低温ショーケースに設けられた主冷却器及び該主冷却器に冷媒が供給されている間、デューティー制御により冷媒の供給を受ける補助冷却器と、主冷却器入口に接続され、全閉と全開の間で弁開度を制御可能とされた電子膨張弁と、補助冷却器入口に接続された温度式膨張弁及び該補助冷却器への冷媒供給を制御する開閉弁とを備えたものである。
【発明の効果】
【００１８】
請求項１の発明の冷凍システムによれば、庫内冷却温度が異なる複数台の低温ショーケースに設けられた冷却器に冷凍機から冷媒を分配供給して成るものであって、庫内冷却温度が高い方の低温ショーケースの冷却器入口に接続された温度式膨張弁及び該冷却器への冷媒供給を制御する開閉弁と、庫内冷却温度が低い方の低温ショーケースの冷却器入口に接続され、全閉と全開の間で弁開度を制御可能とされた電子膨張弁とを備えたので、省エネ化のために既設の低温ショーケースの温度式膨張弁を電子膨張弁に換装する際にも全てを交換しないので工事コスト及び工事期間の短縮を図ることができるようになる。
【００１９】
また、係る発明によれば、庫内冷却温度が低い方の低温ショーケースを電子膨張弁に換装するため、当該庫内冷却温度が低い方の低温ショーケースの庫内冷却温度を確保することができるようになる。
【００２０】
請求項２の発明の低温ショーケースによれば、主冷却器及び該主冷却器に冷媒が供給されている間、デューティー制御により冷媒の供給を受ける補助冷却器とを備えたものであって、主冷却器入口に接続され、全閉と全開の間で弁開度を制御可能とされた電子膨張弁と、補助冷却器入口に接続された温度式膨張弁及び該補助冷却器への冷媒供給を制御する開閉弁とを備えたので、主冷却器と補助冷却器の組み合わせで霜取り不要とした既設の低温ショーケースの省エネ化のために温度式膨張弁を電子膨張弁に換装する際にも、双方の温度式膨張弁を交換しないため、工事コスト及び工事期間の短縮を図ることができるようになる。
【００２１】
また、係る発明によれば、主冷却器を電子膨張弁に換装するため、庫内冷却温度を確保することができるようになる。
【００２２】
請求項３の発明の冷凍システムによれば、庫内冷却温度が異なる複数台の低温ショーケースに設けられた冷却器に冷凍機から冷媒を分配供給して成るものであって、庫内冷却温度が高い方の低温ショーケースの冷却器入口に接続された温度式膨張弁及び該冷却器への冷媒供給を制御する開閉弁と、庫内冷却温度が低い方の低温ショーケースに設けられた主冷却器及び該主冷却器に冷媒が供給されている間、デューティー制御により冷媒の供給を受ける補助冷却器と、主冷却器入口に接続され、全閉と全開の間で弁開度を制御可能とされた電子膨張弁と、補助冷却器入口に接続された温度式膨張弁及び該補助冷却器への冷媒供給を制御する開閉弁とを備えたので、省エネ化のために既設の低温ショーケースの温度式膨張弁を電子膨張弁に換装する際にも全てを交換しないので工事コスト及び工事期間の短縮を図ることができるようになる。
【００２３】
また、庫内冷却温度の低い方の低温ショーケースであって、主冷却器に電子膨張弁を換装するので、庫内冷却温度の低い方の低温ショーケースの庫内冷却温度を確保することができるようになる。
【発明を実施するための最良の形態】
【００２４】
本発明は、従来の技術的課題を解決するために成されたものであり、既設のシステムに適用する場合であっても工事コストの上昇を抑制することができると共に、冷凍機の省エネ運転を有効に行うことができる冷凍システム及び低温ショーケースを提供する。以下、図面に基づき本発明の実施形態を詳述する。図１は本発明を適用した低温ショーケース１の縦断側面図、図２は低温ショーケース１が据え付けられたスーパーマーケットの店舗内の配管構成を説明する図、図３は低温ショーケース１の部分冷媒回路図である。
【００２５】
実施例の低温ショーケース１は縦型オープンショーケースであり、断面略コ字状の断熱壁３２と、据え付け現場においてこの断熱壁３２の両側に取り付けられる側板３３とから構成されている。断熱壁３２の内側にはそれぞれ間隔を存して外層仕切板３４と内層仕切板３６が取り付けられており、断熱壁３２と外層仕切板３４間が外層ダクト３７、内外層仕切板３６、３４間が内層ダクト３８とされ、内層仕切板３６の内側が貯蔵室３９とされている。
【００２６】
この貯蔵室３９内には複数段の棚４１・・が架設されると共に、各棚４１・・の下面前部と貯蔵室３９の天井部、及び庇４７内には蛍光灯４０・・が取り付けられている。貯蔵室３９の底部にはデックパン４２が取り付けられ、このデックパン４２の下方は前記両ダクト３７、３８に連通した底部ダクト４３とされている。そして、この底部ダクト４３内には送風機４５を内蔵したファンケース４４が設置される。また、貯蔵室３９の背方に位置する内層ダクト３８内の下部には冷却器（後述する低温ショーケース１Ｂでは、主冷却器となる）４６が縦設されている。尚、後述する低温ショーケース１Ｂでは、冷却器４６霜の付着を抑制し、霜取運転の回数を減らすことで効果的な品温管理を行うため、当該冷却器４６が主冷却器として内層ダクト３８内の下部に縦設されると共に、補助冷却器４８が主冷却器４６の上方に位置して内層ダクト３８に縦設されるものとする。
【００２７】
貯蔵室３９の前面開口部５１の上縁には外層吐出口５２と内層吐出口５３が前後に並設されており、外層吐出口５２は外層ダクト３７に内層吐出口５３は内層ダクト３８にそれぞれ連通している。また、開口部５１の下縁には吸込口５４が形成され、前記底部ダクト４３に連通している。
【００２８】
そして、前記ファンケース４４内の送風機４５が運転されると、底部ダクト４３内の空気は後方の内外層ダクト３７、３８に向けて吹き出され、外層ダクト３７においてはそのまま吹き上げられると共に、内層ダクト３８においては冷却器４６、若しくは、主冷却器４６及び補助冷却器４８と熱交換した後吹き上げられ、開口部５１上縁の内外層吐出口５２、５３から、下縁の吸込口５４に向けてそれぞれ吹き出される。
【００２９】
これによって、貯蔵室３９の開口部５１には内側の冷気エアーカーテンとそれを保護する外側のエアーカーテンとが形成され、開口部５１からの外気の侵入が阻止、若しくは抑制されると共に、内側の冷気エアーカーテンの一部が貯蔵室３９内に循環して貯蔵室３９内は冷却される。
【００３０】
そして、これらの冷気などは吸込口５４から底部ダクト４３に帰還し、送風機４５に再び吸い込まれることになる。また、冷却器（主冷却器）４６には霜取ヒータ６７が取り付けられており、発熱して冷却器（主冷却器）４６の着霜を融解するものである。後述する低温ショーケース１Ｂでは、補助冷却器４８に霜取ヒータ６８が取り付けられており、発熱して補助冷却器４８の着霜を融解するものである。尚、図中６３は、内層ダクト３８内に設けられる制御温度センサであり、制御装置６４（図２のみ図示する。）に接続されているものとする。
【００３１】
次に、図２を参照して本発明の冷凍システムＲについて説明する。図２において、１Ａ・・で示すのは乳製品（商品）を収納陳列する低温ショーケース（乳製品用冷蔵ケース）であり、例えば２台並設されている。また、１Ｂ・・で示すのは鮮魚（商品）を収納陳列する低温ショーケース（鮮魚用氷温ケース）であり、例えば３台並設されているものとする。尚、各低温ショーケース１Ａ・・及び１Ｂ・・は、それぞれ上述した如き低温ショーケース１と同様の構成である。
【００３２】
各低温ショーケース１Ａ・・、１Ｂ・・はスーパーマーケットの店舗の壁面に沿って据え付けられる。一方、１１は店舗外に構成された図示しない機械室内に設置（別置）された別置型の冷凍機である。これにより、冷凍機１１及び各低温ショーケース１Ａ・・及び１Ｂ・・により本発明の冷凍システムＲが構成される。
【００３３】
冷凍機１１は、図示しない圧縮機や凝縮器により構成されており、低温ショーケース１Ａ（冷蔵ケース）・・の冷却器４６・・の入口側はそれぞれ冷却器４６への冷媒供給を制御する電磁弁（開閉弁）１４及び温度式膨張弁１６を介して冷凍機１１の液冷媒配管１７に並列接続されると共に、冷却器４６・・の出口側はそれぞれ冷凍機１１のガス冷媒配管１８に並列接続される。尚、温度式膨張弁１６は、冷却器４６・・の出口側に設けられる図示しない感温筒に基づき作動するものとする。
【００３４】
他方、低温ショーケース１Ｂ（氷温ケース）・・は、上述したように主冷却器４６と補助冷却器４８の２台の冷却器を搭載しており、図３の部分冷媒回路図に示されるように、主冷却器４６・・の入口側はそれぞれ電子膨張弁２０を介して冷凍機１１の液冷媒配管１７に並列接続されると共に、主冷却器４６・・の出口側はそれぞれ冷凍機１１のガス冷媒配管１８に並列接続される。尚、電子膨張弁２０は、全閉機能を有するものであり、上述した如き制御温度センサ６３が接続された制御装置６４に基づき全閉と全開の間で弁開度が制御されるものとする。また、補助冷却器４８・・の入口側はそれぞれ補助冷却器４８への冷媒供給を制御する電磁弁（開閉弁）２１及び温度式膨張弁２２を介して電子膨張弁２０及び主冷却器４６に対し並列接続となるように、それぞれ冷凍機１１の液冷媒配管１７に並列接続される。また、補助冷却器４８・・の出口側はそれぞれ冷凍機１１のガス冷媒配管１８に並列接続される。尚、温度式膨張弁２２は、補助冷却器４８・・の出口側に設けられる感温筒２３に基づき作動するものとする。
【００３５】
上記低温ショーケース１Ｂの制御装置６４及び低温ショーケース１Ａの図示しない制御装置は、汎用のマイクロコンピュータにて構成されており、該マイクロコンピュータの入力側には図示しない制御温度設定スイッチと、蛍光灯４０の図示しない照明スイッチが接続されている。また、冷却器（主冷却器）４６及び補助冷却器４８の霜取復帰温度を検出する図示しない霜取復帰温度センサの出力が接続されると共に、内層ダクト３８から吐出される空気の温度（吐出空気温度）を検出する前記制御温度センサ６３の出力が入力されている。また、マイクロコンピュータの出力側には前記電磁弁１４若しくは電子膨張弁２０と、各冷却器４６、４８に設けられる霜取ヒータ６７、６８が接続されている。
【００３６】
更に、各低温ショーケース１Ａ及び１Ｂに設けられる制御装置は、通信線を介して店舗に設置された図示しない集中管理装置に接続されている。この集中管理装置は、例えばパーソナルコンピュータなどから構成されており、店舗に設置された各低温ショーケース１Ａ・・、１Ｂ・・の制御装置及び冷凍機１１の図示しない制御装置が通信線を介して接続されている。
【００３７】
以上の構成で動作を説明する。冷凍機１１の圧縮機が運転されると、冷媒は液冷媒配管１７を経てそれぞれ温度式膨張弁１６又は電子膨張弁２０にて減圧された後、各低温ショーケース１Ａ・・、１Ｂ・・の冷却器（主冷却器）４６に供給され、そこで蒸発する。このとき、冷却器（主冷却器）４６と熱交換した空気（冷気）は前述の如く内層ダクト３８内を上昇して、内層吐出口５３から吐出される。
【００３８】
ここで、低温ショーケース１Ａ（冷蔵ケース）の内層吐出口５３から吐出される空気の温度（吐出空気温度）の設定値が前記制御温度設定スイッチにより＋５℃とされたものとすると、マイクロコンピュータは、この設定温度＋５℃と制御温度センサ６３が検出する吐出空気温度に基づき、電磁弁１４の開閉制御を行う。また、温度式膨張弁１６は、冷却器４６の冷媒出口側に設けられる感温筒に基づき、弁の開度が調整される。係る冷却運転によって、低温ショーケース１Ａの貯蔵室３９内の棚４１上に陳列された乳製品などの商品の温度は略＋５℃程に維持される。
【００３９】
他方、低温ショーケース１Ｂ（氷温ケース）の内層吐出口５３から吐出される空気の温度（吐出空気温度）の設定値が前記制御温度設定スイッチにより−１℃とされたものとすると、マイクロコンピュータは、この設定温度−１℃と制御温度センサ６３が検出する吐出空気温度に基づき、電子膨張弁２０の弁開度の制御を行う。
【００４０】
また、低温ショーケース１Ｂの制御装置６４は、主冷却器４６に冷媒が供給されている間、即ち、電子膨張弁２０が開放されている間、図４に示すように電磁弁２１を一定時間当たりの所定期間開放し、残りの期間閉鎖する制御、所謂、デューティー制御することにより、補助冷却器４８の冷媒の供給を行う。これにより、主冷却器４６に冷媒が供給されている間は、補助冷却器４８に間欠的に冷媒の供給が行われ、補助冷却器４８に流入する冷媒は、補助冷却器４８の冷媒入口側に設けられる温度式膨張弁２２により減圧される。係る冷却運転によって、低温ショーケース１Ｂの貯蔵室３９内の棚４１上に陳列された鮮魚などの商品の温度は略−１℃程に維持される。
【００４１】
更に、この低温ショーケース１Ｂの制御装置６４を構成するマイクロコンピュータは、時計機能を備えており、例えば１４時間毎に電子膨張弁２０を全閉して各霜取ヒータ６７、６８に通電する。霜取ヒータ６７、６８は通電されて発熱し、各冷却器４６、４８の着霜を融解除去していく。そして、各冷却器４６、４８の霜取が進行して例えば＋８℃などの霜取復帰温度に達すると、マイクロコンピュータは、前記霜取復帰温度センサの出力に基づき、霜取ヒータ６７、６８への通電を停止する。そして以後は、所定の水切り時間（霜取ヒータ６７、６８はＯＦＦ、電子膨張弁２０は全閉）をおいて、前述の冷却運転に復帰するものである。
【００４２】
以上の構成により、本実施例では、同一の冷凍機１１に異なる温度帯の低温ショーケース１Ａ・・及び１Ｂ・・が接続されている冷凍システムＲにおいて、庫内の冷却温度の高い方、即ち低温ショーケース１Ａに温度式膨張弁１６を設け、庫内の冷却温度の低い方、即ち低温ショーケース１Ｂに電子膨張弁２０を設けている。そのため、冷凍機１１の容量制御を例えば低圧スイッチにて行う際に、圧縮機のカットアウト値をあげていくことで各冷却器４６の蒸発温度が上昇し、最先に庫内の冷却温度の低い方の低温ショーケース１Ｂに冷却性能に影響を及ぼすが、本実施例では、上述した如く当該低温ショーケース１Ｂ側に温度式膨張弁に比して制御範囲が広く追従性が高い電子膨張弁２０を設けることで、各低温ショーケース１Ａ・・及び１Ｂ・・において、冷却不良を生起させることなく、冷凍機１１の省エネ運転を実現することができるようになる。
【００４３】
また、既設の冷凍システムであっても、上述した如き冷凍システムＲのように庫内冷却温度の低い方の低温ショーケース１Ｂ・・に設けられた温度式膨張弁及び電磁弁（開閉弁）を電子膨張弁２０に換装することで、各低温ショーケース１Ａ・・及び１Ｂ・・の庫内冷却温度を確保しながら省エネ化を図ることができるようになる。このとき、全ての低温ショーケース１Ａ・・及び１Ｂ・・の温度式膨張弁及び電磁弁を電子膨張弁２０に換装するものではないため、工事に要する期間の短縮及び工事コストの低減を図ることができるようになる。
【００４４】
特に、本実施例では、庫内温度の低い方の低温ショーケース１Ｂには、２台の冷却器、即ち、主冷却器４６と補助冷却器４８を設け、霜の付着を各冷却器４６、４８に分散させることで、霜閉塞を防止若しくは抑制して霜取間隔を、例えば１台の冷却器では８時間間隔で行っているものを１４時間間隔で行い、結果として霜取回数を減らすことで効果的な品温管理を行っている。係る場合に、低温ショーケース１Ｂの蒸発温度と庫内温度の差が小さい方の冷却器、即ち主冷却器４６のみに温度式膨張弁に比して制御範囲が広く追従性が高い電子膨張弁２０を設けることで、低温ショーケース１Ｂの冷却不良を生起させることなく、冷凍機１１の省エネ運転を実現することができるようになる。
【００４５】
そのため、係る場合においても、２台の冷却器を備える既設の低温ショーケース１Ｂであっても、上述した如き低温ショーケース１Ｂのように主冷却器４６側に設けられた温度式膨張弁及び電磁弁（開閉弁）を電子膨張弁２０に換装することで、低温ショーケース１Ｂの庫内冷却温度を確保しながら省エネ化を図ることができるようになる。このとき、低温ショーケース１Ｂに設けられる全ての温度式膨張弁及び電磁弁を電子膨張弁２０に換装するものではないため、工事に要する期間の短縮及び工事コストの低減を図ることができるようになる。
【００４６】
尚、上記実施例における冷凍システムＲでは、庫内冷却温度の低い方の低温ショーケース、即ち、低温ショーケース１Ｂ（氷温ケース）に、２台の冷却器を備え、上述したように主冷却器４６側にのみ電子膨張弁２０を設けているが、該低温ショーケース１Ｂは、１台の冷却器のみを備え、該冷却器に電子膨張弁２０を設けた場合であっても良いものとする。
【図面の簡単な説明】
【００４７】
【図１】本発明を適用した低温ショーケースの縦断側面図である。
【図２】低温ショーケースが据え付けられたスーパーマーケットの店舗内の配管構成を説明する図である。
【図３】低温ショーケースの部分冷媒回路図である。
【図４】電子膨張弁及び電磁弁の制御を説明する図である。
【図５】従来の冷凍システムの配管構成を説明する図である。
【図６】従来の低温ショーケースの部分冷媒回路図である。
【符号の説明】
【００４８】
１    低温ショーケース
１Ａ  乳製品用冷蔵ケース
１Ｂ  鮮魚用氷温ケース
１１  冷凍機
１４  電磁弁
１６  温度式膨張弁
３９  貯蔵室
４６  冷却器（主冷却器）
４８  補助冷却器
６３  制御温度センサ
６４  制御装置
６７、６８  霜取ヒータ
【図１】
2005315495.tif 000003
【図２】
2005315495.tif 000004
【図３】
2005315495.tif 000005
【図４】
2005315495.tif 000006
【図５】
2005315495.tif 000007
【図６】
2005315495.tif 000008